(57)【要約】【課題】  ラジオ放送中に、文字情報ではなく音声で提供された情報であっても、簡単に文字として記憶することができるラジオ放送受信装置、ラジオ放送受信装置の制御方法、制御プログラムおよび記録媒体を提供すること。【解決手段】  ラジオ放送を受信する受信部２１を備えるラジオ受信装置１０において、前記受信部２１が出力する音声信号を認識してテキストデータとして出力し、このテキストデータを第１記憶部２３に記憶させる第１の記憶制御手段と、抽出対象を特定し、その抽出を指示する所定操作、あるいは所定抽出対象の抽出を指示する所定の操作がなされた場合に、前記第１記憶部２３に記憶されているテキストデータの中から前記指示に対応する前記抽出対象のデータを抽出して、第２記憶部２４に記憶させる第２の記憶制御手段とを備えることを特徴とする。【選択図】      図１
2005277838.tif 000002
【特許請求の範囲】
【請求項１】
ラジオ放送を受信する受信部を備えるラジオ受信装置において、
前記受信部が出力する音声信号を認識してテキストデータとして出力し、このテキストデータを第１記憶部に記憶させる第１の記憶制御手段と、
抽出対象を特定し、その抽出を指示する所定操作、あるいは所定抽出対象の抽出を指示する所定操作がなされた場合に、前記第１記憶部に記憶されているテキストデータから前記指示に対応する前記抽出対象のデータを抽出して、第２記憶部に記憶させる第２の記憶制御手段とを備えることを特徴とするラジオ受信装置。
【請求項２】
前記第１の記憶制御手段は、前記第１記憶部に前記テキストデータを更新しつつ記憶することを特徴とする請求項１に記載のラジオ受信装置。
【請求項３】
前記第１の記憶制御手段は、前記第１記憶部に記憶されたデータを、古いものから順次更新し、あるいは、所定時間が経過するごとに更新することを特徴とする請求項１または２に記載のラジオ受信装置。
【請求項４】
前記抽出対象は、電話番号、住所、ＵＲＬ、メールアドレスのうち、少なくともいずれかを含むことを特徴とする請求項１乃至３のいずれかに記載のラジオ受信装置。
【請求項５】
ラジオ放送を受信する受信部並びにテキストデータを記憶する第１記憶部及び第２記憶部を備えるラジオ受信装置の制御方法において、
前記受信部が出力する音声信号を認識してテキストデータとして出力し、このテキストデータを前記第１記憶部に記憶させる第１の記憶制御過程と、
抽出対象を特定し、その抽出を指示する所定操作、あるいは所定抽出対象の抽出を指示する所定操作がなされた場合に、前記第１記憶部に記憶されているテキストデータから前記指示に対応する前記抽出対象のデータを抽出して、前記第２記憶部に記憶させる第２の記憶制御過程とを備えることを特徴とするラジオ受信装置の制御方法。
【請求項６】
ラジオ放送を受信する受信部並びにテキストデータを記憶する第１記憶部及び第２記憶部を備えるラジオ受信装置をコンピュータにより制御するための制御プログラムにおいて、
前記受信部が出力する音声信号を認識してテキストデータとして出力し、このテキストデータを前記第１記憶部に記憶させ、
抽出対象を特定し、その抽出を指示する所定操作、あるいは所定抽出対象の抽出を指示する所定操作がなされた場合に、前記第１記憶部に記憶されているテキストデータから前記指示に対応する前記抽出対象のデータを抽出して、前記第２記憶部に記憶させることを特徴とするラジオ受信装置の制御プログラム。
【請求項７】
前記第１記憶部に前記テキストデータを更新しつつ記憶させることを特徴とする請求項６に記載のラジオ受信装置の制御プログラム。
【請求項８】
前記第１記憶部に記憶されたデータを、古いものから順次更新させ、あるいは、所定時間が経過するごとに更新させることを特徴とする請求項６または７に記載のラジオ受信装置の制御プログラム。
【請求項９】
請求項６乃至８のいずれかに記載の制御プログラムを記録したことを特徴とするコンピュータ読み取り可能な記録媒体。
【発明の詳細な説明】
【技術分野】
【０００１】
本発明は、ラジオ放送を受信する受信部を備えるラジオ受信装置、ラジオ受信装置の制御方法、制御プログラムおよび記録媒体に関する。
【背景技術】
【０００２】
従来、ラジオ放送中に電話番号やＷｅｂサイトのＵＲＬ（Uniform Resource Locator）等の情報がアナウンスされた場合、聴取者は、その情報をメモ用紙に書き留めるなどして当該情報を記録していた。しかし、聴取者が自動車を運転中の場合など、メモを取りたくても取れない状況にある場合もあった。
【０００３】
ところで、ラジオ放送の副搬送波を利用して、ニュースや交通情報等を文字情報として、音声と同時に配信する文字多重放送が提供されており、この文字多重放送を受信できるラジオ受信装置が知られている（例えば、特許文献１参照）。この種のラジオ受信装置では、文字情報として受信した情報を、このラジオ受信装置が備える表示パネルに表示したり、メモリに記憶することが可能である。
【特許文献１】特開平１０−２００４９０号公報
【発明の開示】
【発明が解決しようとする課題】
【０００４】
しかし、表示パネルへの表示や、メモリへの記憶が可能な情報は、あくまで放送局から文字情報として配信されたものに限られ、音声でのみ提供された情報については、従前と同様に、メモ用紙に書き留める等の必要があった。
【０００５】
本発明は、上述した従来の課題を解決し、ラジオ放送中に、文字情報ではなく音声で提供された情報であっても、簡単に文字として記憶することができるラジオ放送受信装置、ラジオ放送受信装置の制御方法、制御プログラムおよび記録媒体を提供することを目的としている。
【課題を解決するための手段】
【０００６】
上記課題を解決するため、本発明は、ラジオ放送を受信する受信部を備えるラジオ受信装置において、前記受信部が出力する音声信号を認識してテキストデータとして出力し、このテキストデータを第１記憶部に記憶させる第１の記憶制御手段と、抽出対象を特定し、その抽出を指示する所定操作、あるいは所定抽出対象の抽出を指示する所定操作がなされた場合に、前記第１記憶部に記憶されているテキストデータから前記指示に対応する前記抽出対象のデータを抽出して、第２記憶部に記憶させる第２の記憶制御手段とを備えることを特徴とする。
【０００７】
この場合において、前記第１の記憶制御手段は、前記第１記憶部に前記テキストデータを更新しつつ記憶する構成としても良い。
また、前記第１の記憶制御手段は、前記第１記憶部に記憶されたデータを、古いものから順次更新し、あるいは、所定時間が経過するごとに更新する構成としても良い。
【０００８】
また、前記抽出対象は、電話番号、住所、ＵＲＬ、メールアドレスのうち、少なくともいずれかを含む構成としても良い。
【０００９】
また、本発明は、ラジオ放送を受信する受信部並びにテキストデータを記憶する第１記憶部及び第２記憶部を備えるラジオ受信装置の制御方法において、前記受信部が出力する音声信号を認識してテキストデータとして出力し、このテキストデータを前記第１記憶部に記憶させる第１の記憶制御過程と、抽出対象を特定し、その抽出を指示する所定操作、あるいは所定抽出対象の抽出を指示する所定操作がなされた場合に、前記第１記憶部に記憶されているテキストデータから前記指示に対応する前記抽出対象のデータを抽出して、前記第２記憶部に記憶させる第２の記憶制御過程とを備えることを特徴とする。
【００１０】
また、本発明は、ラジオ放送を受信する受信部並びにテキストデータを記憶する第１記憶部及び第２記憶部を備えるラジオ受信装置をコンピュータにより制御するための制御プログラムにおいて、前記受信部が出力する音声信号を認識してテキストデータとして出力し、このテキストデータを前記第１記憶部に記憶させ、抽出対象を特定し、その抽出を指示する所定操作、あるいは所定抽出対象の抽出を指示する所定操作がなされた場合に、前記第１記憶部に記憶されているテキストデータから前記指示に対応する前記抽出対象のデータを抽出して、前記第２記憶部に記憶させることを特徴とする。
【００１１】
この場合において、前記第１記憶部に前記テキストデータを更新しつつ記憶させる構成としても良い。
また、前記第１記憶部に記憶されたデータを、古いものから順次更新させ、あるいは、所定時間が経過するごとに更新させることを特徴とする構成としても良い。
【００１２】
また、上記各制御プログラムをコンピュータ読取可能な記録媒体に記録する構成としても良い。
【発明の効果】
【００１３】
本発明によれば、ラジオ放送中に、音声として提供された情報であっても簡単に文字として記憶することができる。
【発明を実施するための最良の形態】
【００１４】
以下、図面を参照しつつ本発明の実施の形態について説明する。
図１は、本実施形態に係るラジオ受信装置１０の機能構成を示すブロック図である。本実施形態において、このラジオ受信装置１０は、自動車などの車両に搭載されている。
【００１５】
ラジオ受信装置１０は、このラジオ受信装置１０全体を制御するための制御部２０を備える。また、ラジオ受信装置１０は、制御部２０の制御の下、ラジオ放送を受信する受信部２１と、この受信部２１が出力した音声信号を認識してテキストデータとして出力する音声認識処理部２２と、この音声認識処理部２２から出力されたテキストデータを一時的に記憶する第1記憶部２３と、この第1記憶部２３に記憶されたテキストデータから抽出された、抽出対象としての電話番号やＵＲＬを記憶する第２記憶部２４と、ラジオ受信装置１０の各種操作を行なうための操作部２５と、この操作部２５によって操作された設定情報等を表示する表示部２６とを備える。
【００１６】
制御部２０は、制御用プログラムおよび制御用データを予め記憶しているＲＯＭと、このＲＯＭ内の制御用プログラムに基づいてラジオ受信装置１０の全体を制御するＣＰＵと、各種データを一時的に格納するＲＡＭとを備えている。
【００１７】
受信部２１には、ラジオ放送を受信するためのアンテナ３１が設けられているとともに、受信部２１から出力される音声信号を増幅させるアンプ３２及び当該音声信号を外部に出力するスピーカ３３が接続されている。
【００１８】
第１記憶部２３は、音声認識処理部２２から出力されたテキストデータを継続して記憶していくために、制御部２０の制御下、テキストデータを更新しつつ記憶するように構成されている。具体的には、第１記憶部２３に記憶されたデータを、リングバッファのように古いものから順次更新したり、所定時間が経過するごとに更新することによって行なう。この場合、所定時間の計測は、制御部２０のＣＰＵが備えるタイマによって行なう。
【００１９】
第２記憶部２４は、上述のように、電話番号やＵＲＬのデータが記憶されるものである。本実施形態では、第２記憶部２４は区分けされており、この区分けされた各領域に、それぞれ電話番号、ＵＲＬが記憶されるように構成されている。これによれば、各種データの整理や利用が容易に行なえるようになる。
【００２０】
操作部２５は、ラジオ受信装置１０の電源スイッチや受信する周波数を操作するための選局スイッチ（いずれも不図示）などの他に、第１記憶部２３に記憶されたテキストデータの中から、電話番号やＵＲＬのデータの抽出して第２記憶部２４への記憶を指示する抽出スイッチ３５が設けられている。本実施形態では、抽出スイッチ３５は電話番号やＵＲＬのデータの抽出を指示するものとして構成しているが、抽出対象を特定し、その抽出を指示するものとして構成しても良い。具体的には、抽出スイッチとして、「電話番号抽出スイッチ」、「ＵＲＬ抽出スイッチ」を設け、これらのスイッチを操作することにより、抽出対象を例えば電話番号に特定して、電話番号のみ抽出することが可能となる。
【００２１】
表示部２６は、受信部２１が受信している周波数などを表示する他、ユーザの要求に応じて第２記憶部２４に記憶された電話番号やＵＲＬを表示する構成となっている。
【００２２】
また、制御部２０には、自動車の運転中にハンズフリー通話を可能とするハンズフリー装置４１及び電話装置４２が制御可能に接続されている。この場合、このハンズフリー装置４１を介して、第２記憶部２４に記憶された電話番号へ電話をかけることもできる。また、電話装置４２を用いてインターネットサーバ４３に接続して、第２記憶部２４に記憶されたＵＲＬを開いて、例えば表示部２６に表示させることもできる。
【００２３】
次に、図２を参照して、ラジオ受信装置１０の動作について説明する。
まず、車両のＡＣＣ（アクセサリ）スイッチ（不図示）をＯＮするとともに、ラジオ受信装置１０の操作部２５に設けられた電源スイッチ（不図示）をＯＮすると、ラジオ受信装置１０には電源が供給され、制御部２０は、受信部２１を通じてラジオ放送の受信を開始する（ステップＳ１）。ラジオ放送の受信が開始すると、制御部２０はＣＰＵが備えるタイマをスタートさせて所定時間の計測を開始する（ステップＳ２）。
【００２４】
続いて、制御部２０は、受信部２１が出力した音声信号の音声認識を行なう（ステップＳ３）。具体的には、上記音声信号を音声認識処理部２２に入力し、この音声認識処理部２２を介することによりテキストデータとして出力させる。制御部２０は、この出力されたテキストデータをすべて第１記憶部２３に記憶する（ステップＳ４）。
【００２５】
続いて、制御部２０は、所定操作が行なわれたか否かを判別する（ステップＳ５）。ここで、所定操作とは、電話番号やＵＲＬのメモしておきたい情報が放送された場合に、この情報を記憶するために聴取者が行なう操作である。具体的には、操作部２５に設けられた抽出スイッチ３５を操作することにより行なわれる。
【００２６】
ステップＳ５の判別において、抽出スイッチ３５が操作された場合（ステップＳ５；Ｙｅｓ）には、制御部２０は、第１記憶部２３に記録されているテキストデータが電話番号であるか否かを判別する（ステップＳ６）。この判別にあたり、制御部２０は、例えば、０から始まる１０もしくは１１桁の数字が連続して配列された場合には電話番号と判別している。また、３桁以上の数字が連続して配列された場合には、電話番号と判別しても良い。一方、ステップＳ５の判別において、抽出スイッチ３５が操作されていない場合（ステップＳ５；Ｎｏ）には、処理をステップＳ１０に移行する。
【００２７】
ステップＳ６の判別において、第１記憶部２３に記録されているテキストデータが電話番号であると認識された場合（ステップＳ６；Ｙｅｓ）には、制御部２０は、当該電話番号を抽出して第２記憶部２４に記憶させて（ステップＳ７）、処理をステップＳ１０に移行する。
【００２８】
一方、ステップＳ６の判別において、第１記憶部に記録されているテキストデータが電話番号でない場合（ステップＳ６；Ｎｏ）には、制御部２０は、第１記憶部２３に記録されているテキストデータがＵＲＬであるか否かを判別する（ステップＳ８）。この判別にあたり、制御部２０は、例えば、ｗｗｗで始まり、英文字と／（スラッシュ）とが組み合わされて連続する場合にはＵＲＬと判断している。
【００２９】
ステップＳ８の判別において、第１記憶部２３に記録されているテキストデータがＵＲＬであると認識された場合（ステップＳ８；Ｙｅｓ）には、制御部２０は、当該ＵＲＬを抽出して第２記憶部２４に記憶させて（ステップＳ９）、処理をステップＳ１０に移行する。一方、ステップＳ８の判別において、第１記憶部２３に記録されているテキストデータがＵＲＬでない場合（ステップＳ８；Ｎｏ）には、制御部２０は、何も処理をしないで、ステップＳ１０に移行する。
【００３０】
続いて、制御部２０は、上記タイマの計測開始から所定時間が経過しているか否かを判別する（ステップＳ１０）。この所定時間は、第１記憶部２３の記憶容量に応じて予め設定されているものである。すなわち、計測開始からの記憶したテキストデータの容量が、第１記憶部２３の記憶容量が一杯となる前にタイムアップするように設定されている。
【００３１】
ステップＳ１０の判別において、所定時間が経過していない場合（ステップＳ１０；Ｎｏ）には、処理をステップＳ３に戻してステップＳ３〜ステップ１０の処理を繰り返し実行する。一方、ステップＳ１０の判別において、所定時間が経過している場合（ステップＳ１０；Ｙｅｓ）には、制御部２０は、上記タイマをリセットして（ステップＳ１１）、第１記憶部２３に記憶されているデータをすべて消去する（ステップＳ１２）。
【００３２】
続いて、制御部２３は、ラジオ受信装置１０の運転停止操作がなされたか否かを判別する（ステップＳ１３）。ここで、運転停止操作とは、ラジオ受信装置１０の電源スイッチがＯＦＦにされた場合をいうが、例えば、このラジオ受信装置１０がＣＤ再生部を備える複合機である場合には、ラジオからＣＤ再生へとモードが切り換えられた場合も含まれる。ステップＳ１３の判別において、ラジオ受信装置１０の運転停止操作がなされていない場合（ステップＳ１３；Ｎｏ）には、処理をステップＳ２に戻して、ステップＳ２〜ステップＳ１３の処理を実行する。一方、ステップＳ１３の判別において、ラジオ受信装置１０の運転停止操作がなされている場合（ステップＳ１３；Ｙｅｓ）には、処理を終了する。
【００３３】
本実施形態によれば、メモを取りたい電話番号やＵＲＬの情報がラジオ放送された場合に、抽出スイッチ３５を操作することにより、ラジオ放送の音声信号をテキストデータとして記憶する第１記憶部２３から、当該電話番号やＵＲＬの情報を抽出して第２記憶部２４に記憶する構成としているため、聴取者が急にメモを取りたくなった（文字として記憶したくなった）場合であっても、簡単に電話番号やＵＲＬの情報をメモ（文字として記憶）することができる。
【００３４】
特に、第１記憶部２３によって、絶えず放送内容をテキストデータとして記憶しているため、放送開始後に抽出スイッチ３５を操作した場合であっても、電話番号やＵＲＬを記憶しておくことができる。
【００３５】
また、本実施形態では、ラジオ受信装置１０は、車両に搭載されているため、ドライバは運転中であっても、簡単な操作により電話番号やＵＲＬの情報をメモ（文字として記憶）することができる。
【００３６】
また、本実施形態では、第１記憶部２３に記憶されたテキストデータは、所定時間が経過するごとに更新させる構成としているため、第１記憶部２３を小型化することが可能であり、ひいてはラジオ受信装置１０の小型化を実現することができる。
【００３７】
また、第２記憶部２４に記憶された電話番号やＵＲＬのデータは、ユーザの要求に応じて、いつでも表示部２６に表示可能な構成としているため、例えば、自動車の運転中にメモを取りたい電話番号やＵＲＬの情報がラジオ放送された場合には、第２記憶部２４にその情報を記憶しておき、停車した後に表示部２６に当該情報を表示させて利用することが可能となる。
【００３８】
以上、本発明を上記実施の形態に基づいて説明したが、本発明はこれに限定されるものではない。例えば、以上の説明においては、車載装置１０を制御するための制御プログラムが制御部２０を構成するＲＯＭに予め記憶されている場合について説明したが、各種磁気ディスク、光ディスク、メモリカードなどの記録媒体に制御用プログラムをあらかじめ記録し、これらの記録媒体から読み込み、インストールするように構成することも可能である。また、通信インターフェースを設け、インターネット、ＬＡＮなどのネットワークを介して制御用プログラムをダウンロードし、インストールして実行するように構成することも可能である。このように構成することにより、ソフトウェア的により高機能としたり、より信頼性の高い車載用機器を構成することが可能となる。
【００３９】
また、本実施形態では、抽出対象として電話番号及びＵＲＬについて説明したが、これに限るものではなく、住所やメールアドレスに適用することもできる。すなわち、抽出対象として、電話番号、ＵＲＬ、住所、メールアドレスのうち少なくともいずれかを含んでいれば良い。
【００４０】
また、本実施形態では、ラジオ受信装置１０を自動車に搭載する構成について説明したが、家庭用のラジオ受信装置に適用しても良い。これによれば、電話機の公衆回線のほかにＡＤＳＬや光ファイバ、その他のネットワークなどを利用して、必要なＵＲＬを開くことも可能である。
【００４１】
また、本実施形態では、音声信号を認識してテキストデータとして第１記憶部２３に記憶する構成としているが、ＦＭ多重放送などのように、音声以外に文字情報が配信される場合には、この文字情報も上記テキストデータと同様に第１記憶部２３に記憶する構成としても良い。これによれば、文字情報として配信された情報についても抽出して利用することが可能となる。
【図面の簡単な説明】
【００４２】
【図１】本実施形態に係るラジオ受信装置の機能構成を示すブロック図である。
【図２】ラジオ受信装置の動作を示すフローチャートである。
【符号の説明】
【００４３】
１０  ラジオ受信装置
２０  制御部（第１の記憶制御手段、第２の記憶制御手段）
２１  受信部
２２  音声認識処理部
２３  第１記憶部
２４  第２記憶部
２５  操作部
２６  表示部
３５  抽出スイッチ
【図１】
2005277838.tif 000003
【図２】
2005277838.tif 000004